(57)【要約】【課題】熱転写フィルムからの熱転写記録により、通常の目視画像とは異なるセキュリティ画像が高精細に形成された、個人認証媒体等のセキュリティ性を有する画像形成体を提供する。【解決手段】少なくとも赤色、緑色、青色の３色の、干渉光を射出する光輝性顔料を含む熱転写インクが転写されて形成された複数の光輝性ドット１４１からなる光輝性画像１４を有し、複数の光輝性ドットは、隣接するドットが互いに部分的に重なって転写されている。【選択図】図１
2020078889.tif 000002
【特許請求の範囲】
【請求項１】
少なくとも赤色、緑色、青色の３色の、干渉光を射出する光輝性顔料を含む熱転写インクが転写されて形成された複数の光輝性ドットからなる光輝性画像を有し、
前記複数の光輝性ドットは、隣接するドットが互いに部分的に重なって転写されていることを特徴とする画像形成体。
【請求項２】
シアン、マゼンタ、イエロー、墨の４色の熱転写インクが転写されて形成された複数のカラードットからなるカラー画像が別に形成されていることを特徴とする請求項１に記載の画像形成体。
【請求項３】
前記光輝性画像に、シアン、マゼンタ、イエロー、墨の４色のうち少なくとも１色の熱転写インクが転写された複数のカラードットがさらに形成され、
前記光輝性ドットと、前記カラードットが、少なくともその一部で隣接し、互いに部分的に重なって転写されていることを特徴とする請求項１または２に記載の画像形成体。
【請求項４】
前記重なって転写されたドットの中心間距離が、一定、かつ、ドットピッチの１／２以下であることを特徴とする請求項１から３のいずれかに記載の画像形成体。
【請求項５】
前記光輝性顔料を含む熱転写インクが光透過性を有し、かつ、その光透過率が７０％以上であることを特徴とする請求項１から４のいずれかに記載の画像形成体。
【請求項６】
前記光輝性画像が、個人情報を含んだ画像であることを特徴とする請求項１から５のいずれかに記載の画像形成体。
【請求項７】
前記個人情報が、顔画像であることを特徴とする請求項１から６のいずれかに記載の画像形成体。
【請求項８】
基材フィルムに、赤色、緑色、青色の３色の干渉光を射出する光輝性顔料を含む光輝性熱転写インク層と、シアン、マゼンタ、イエロー、墨の４色のカラー熱転写インク層とが、各色面順次に設けられた熱転写リボンを用い、記録媒体の記録面に、
前記光輝性熱転写インク層から光輝性熱転写インクをドット状に転写して光輝性画像を形成し、
前記カラー熱転写インク層からカラー熱転写インクをドット状に転写してカラー画像を形成し、
前記光輝性画像のドットを、互いに部分的に重なるように転写することを特徴とする画像形成方法。
【請求項９】
前記カラー熱転写インク層から少なくとも１色のカラー熱転写インクを、前記光輝性画像の光輝性熱転写インクのドットと、互いに部分的に重なるようにドット状に転写することを特徴とする請求項８に記載の画像形成方法。
【発明の詳細な説明】
【技術分野】
【０００１】
本発明は、ＩＤカードやパスポート等、本人であることを照明する個人認証用の画像形成体に関し、特に偽造防止効果が高く、真正品と贋造品・偽造品との判別を行う真贋判定が容易に行える画像形成体に関する。
【背景技術】
【０００２】
パスポート、査証用ステッカー、またはカード類のような個人認証媒体は、従来、色々なセキュリティ手法が提案されてきている。例えば、現在使用されているパスポートは、ＩＣＡＯ（International Civil Aviation Organization）の規定によると目視および光学文字識別方式の両方で読めなければならないとされている。ＩＣＡＯの規定によれば、パスポートに使用する材質やセキュリティに関しては各国の自由裁量である。
【０００３】
パスポートの目視確認情報としての顔写真は、従来写真を貼り合わせたものであったが、近年では写真情報をデジタル化し、これをパスポートに再現する傾向にある。この画像再現方法としては、例えば転写リボンによる感熱転写記録法が検討されている。
【０００４】
しかしながら、昨今では感熱記録方式のプリンタが広く普及している状況を考慮すると、パスポートから顔写真を取り除いた後、そこに別の顔写真を形成することは、必ずしも困難ではない。そこで、セキュリティ向上のために、これら画像形成体に、通常の目視情報としての顔写真に加えて、セキュリティ特性を加えた第２の顔写真などの画像を記録することが行われるようになっている。
【０００５】
セキュリティ特性を加えた画像の形成法として、例えば特許文献１には、蛍光インクを別々の基材フィルムに設けた熱転写リボンで、各色の蛍光インクのドットが重ならないように配置するドットマトリクス法で画像形成する方法が開示されている。また、特許文献２にはパール顔料（光輝性顔料）を溶融型熱転写インクリボン化して顔写真を形成する方法が開示されている。
【０００６】
しかしながら、蛍光材料を用いる前記方法では、画像を認識するために紫外線ランプ（ブラックライト）を用いる必要があり、認証できる場面が限られている。また各色の蛍光インクごとに別々のリボンを用意する必要があり、煩雑であった。またパール顔料による顔写真は、目視による確認は可能であるが、パール顔料の粒子が大きいため、精細な画像の形成が困難であった。
【０００７】
また、顔写真等の個人情報をオンデマンドでホログラム化する方法も考えられている。例えば、特許文献３にはホログラムリボンを用いた熱転写方式で個人情報をホログラム化する方法が開示されている。
【０００８】
しかしながら、この方法では顔写真などの画像情報を形成するにはドットを非常に微細にすることで高解像度を得る必要があるが、解像度を上げると画質が汚くなってしまい、目視での真偽判定が困難になってしまい、ホログラムとしての効果も低下してしまうという問題がある。また、ホログラムリボンの製造には真空蒸着などの工程が必要なため、通常のインクリボンとは別にホログラムリボンを用意しなければならないため手間とコストが掛かり、プリンタの機構も複雑になるという問題があった。
【先行技術文献】
【特許文献】
【０００９】
【特許文献１】特許第３７７３８１０号公報
【特許文献２】特開２００３−１７０６８５号公報
【特許文献３】特開平１０−０４９６４７号公報
【発明の概要】
【発明が解決しようとする課題】
【００１０】
本発明は、以上の様な従来技術の問題を解決するためになされたもので、個人認証媒体の様なセキュリティ性を有する画像形成体であって、熱転写フィルムからの熱転写記録により、通常の目視画像とは異なるセキュリティ画像が高精細に形成された画像形成体を提供することを課題とする。
【課題を解決するための手段】
【００１１】
上記課題を解決するため、本発明の請求項１に係る発明は、
少なくとも赤色、緑色、青色の３色の、干渉光を射出する光輝性顔料を含む熱転写インクが転写されて形成された複数の光輝性ドットからなる光輝性画像を有し、
前記複数の光輝性ドットは、隣接するドットが互いに部分的に重なって転写されていることを特徴とする画像形成体である。
【００１２】
また、本発明の請求項２に係る発明は、
シアン、マゼンタ、イエロー、墨の４色の熱転写インクが転写されて形成された複数のカラードットからなるカラー画像が別に形成されていることを特徴とする請求項１に記載の画像形成体である。
【００１３】
また、本発明の請求項３に係る発明は、
前記光輝性画像に、シアン、マゼンタ、イエロー、墨の４色のうち少なくとも１色の熱転写インクが転写された複数のカラードットがさらに形成され、
前記光輝性ドットと、前記カラードットが、少なくともその一部で隣接し、互いに部分的に重なって転写されていることを特徴とする請求項１または２に記載の画像形成体である。
【００１４】
また、本発明の請求項４に係る発明は、
前記重なって転写されたドットの中心間距離が、一定、かつ、ドットピッチの１／２以下であることを特徴とする請求項１から３のいずれかに記載の画像形成体である。
【００１５】
また、本発明の請求項５に係る発明は、
前記光輝性顔料を含む熱転写インクが光透過性を有し、かつ、その光透過率が７０％以上であることを特徴とする請求項１から４のいずれかに記載の画像形成体である。
【００１６】
また、本発明の請求項６に係る発明は、
前記光輝性画像が、個人情報を含んだ画像であることを特徴とする請求項１から５のいずれかに記載の画像形成体である。
【００１７】
また、本発明の請求項７に係る発明は、
前記個人情報が、顔画像であることを特徴とする請求項１から６のいずれかに記載の画像形成体である。
【００１８】
また、本発明の請求項８に係る発明は、
基材フィルムに、赤色、緑色、青色の３色の干渉光を射出する光輝性顔料を含む光輝性熱転写インク層と、シアン、マゼンタ、イエロー、墨の４色のカラー熱転写インク層とが、各色面順次に設けられた熱転写リボンを用い、記録媒体の記録面に、
前記光輝性熱転写インク層から光輝性熱転写インクをドット状に転写して光輝性画像を形成し、
前記カラー熱転写インク層からカラー熱転写インクをドット状に転写してカラー画像を形成し、
前記光輝性画像のドットを、互いに部分的に重なるように転写することを特徴とする画像形成方法である。
【００１９】
また、本発明の請求項９に係る発明は、
前記カラー熱転写インク層から少なくとも１色のカラー熱転写インクを、前記光輝性画像の光輝性熱転写インクのドットと、互いに部分的に重なるようにドット状に転写することを特徴とする請求項８に記載の画像形成方法である。
【発明の効果】
【００２０】
本発明によれば、赤色、緑色、青色の３色の干渉光を射出する光輝性顔料を含む熱転写インクの光輝性ドットにより、見る角度により見え方や色が変化して、真贋判定効果や偽造防止効果等のセキュリティ性を有し、かつ、各色の光輝性ドットの中心位置がずらされて隣接するドットが互いに部分的に重なって転写されていることにより、ドットのパターンのピッチが見かけ上細かくなって高精細にすることができ、高品質な光輝性画像が形成された画像形成体が得られる。
【００２１】
また、顔写真画像や文字等の通常のカラー画像がシアン、マゼンタ、イエロー、墨の４色の熱転写インクのカラードットで別に設けられた画像形成体が得られる。
【００２２】
また、光輝性画像において、赤色、緑色、青色の３色の干渉光を射出する光輝性顔料を含む熱転写インクの光輝性ドットと、シアン、マゼンタ、イエロー、墨の４色のうち少なくとも１色の熱転写インクのカラードットとが少なくともその一部で隣接し、互いに部分的に重なって形成され、見る角度により見え方や色が変化して、通常のカラー画像と光輝性顔料から射出する干渉光による光輝性画像が切り替わって見え、真贋判定効果や偽造防止効果等のセキュリティ性がより高められた画像形成体が得られる。
【００２３】
このとき重なって転写されたドットの中心間距離を、一定、かつ、各色のドットが配置されている一定間隔であるドットピッチの１／２以下とすることで、見かけ上高精細にする効果がより好適に再現できる。
【００２４】
また光輝性顔料を含む熱転写インクが光透過性を有し、かつ、その光透過率が７０％以上とすることで、ドットが重なった部分でも下地となったインクの射出光または色をより好ましく観察できる。
【００２５】
また顔写真画像などの個人情報の改竄、贋造がし難い画像形成体とすることができる。
【００２６】
また、本発明の画像形成方法によれば、セキュリティ性を有する高精細な光輝性顔料を含む熱転写インクの光輝性画像と、通常の熱転写インクのカラー画像とを、一つの熱転写リボンを用いて記録媒体に形成できる。
【図面の簡単な説明】
【００２７】
【図１】本発明の画像形成体の一形態を示す模式図である。
【図２】本発明の画像形成体の記録に用いられる熱転写リボンの例を示す図である。
【図３】本発明の画像形成体の光輝性画像の形成工程の一例を概略的に示す断面図である。
【図４】本発明の画像形成体の第二の形態を示す模式図である。
【図５】本発明の画像形成体の第二の形態の光輝性画像の説明図である。
【発明を実施するための形態】
【００２８】
以下、本発明の実施の形態を、図面を参照しながら詳細に説明する。なお本発明は以下に説明する実施形態に限定されるものではない。また以下において同等の部材等には同一の符号を付して、説明を省略することがある。
【００２９】
図１は、本発明の画像形成体の一形態を示す模式図であり、画像形成体であるパスポートの個人情報記録ページを示している。図１（ａ）は平面図であり、図１（ｂ）は直線Ａ−Ａ´での断面図である。
【００３０】
個人情報記録ページ１には、セキュリティ画像１４が、光輝性画像として形成されている。セキュリティ画像１４は、特定の角度で干渉光を射出する光輝性顔料を含む熱転写インクが転写されて形成されている。セキュリティ画像１４は、赤色、緑色、青色の３色の干渉光を射出する光輝性顔料を含む熱転写インクの光輝性ドット１４１により形成されており、見る角度により見え方や色が変化し、見えなくなる場合もある等、通常のカラー画像とは異なる視覚効果を有するため、真贋判定効果や偽造防止効果等のセキュリティ性を有する。この場合、セキュリティ画像１４は、サーマルヘッドを用いた熱転写記録法により、図２に例示したような各色のインクで塗り分けられた熱転写インクリボン３からインクを熱転写することにより形成される。
【００３１】
また、図１（ｂ）の断面図に示す様に、光輝性ドット１４１は隣接するドットと互いに部分的に重なって転写されている。光輝性ドット１４１の互いに隣接するドットを部分的に重なった状態で被転写基材１７に転写することにより、例えば３００ｄｐｉのサーマルヘッドの場合、本来ドットピッチが０．０８４ｍｍ角の３００ｄｐｉでの一定の解像度になるところを、擬似的に０．０８４ｍｍ×０．０４２ｍｍサイズまたは０．０４２ｍｍ×０．０４２ｍｍサイズ、つまり６００ｄｐｉ相当の高解像度の画像を得ることができる。
【００３２】
このような光輝性顔料を含む熱転写インクは、光透過性を有する。このため、ドット同士が重なっていても、下層となるドット部分も画素として機能させることが可能になる。光輝性顔料を含む熱転写インクは、可視光に対する透過率が７０％以上、より好ましくは８０％以上、最も好ましくは９０％以上であることが望ましい。透過率が７０％以上であれば、２色を重ねた場合でも、下地側のインクからの射出光の透過率は５０％程度となり、十分な視認性を有する。
【００３３】
光輝性顔料としては、例えば天然雲母にＴｉＯ２、ＳｉＯ２、Ａｌ２Ｏ３を所定の色となる様に厚みを制御して１層コーティングし、焼結することで得られ、中でもＴｉＯ２は屈折率が高く好ましいが、これに限定するものではない。具体的には、
赤色：Ｉｒｉｏｄｉｎ２１１（登録商標、ＭＥＲＫ社製）
緑色：Ｉｒｉｏｄｉｎ２３１（登録商標、ＭＥＲＫ社製）
青色：Ｉｒｉｏｄｉｎ２２１（登録商標、ＭＥＲＫ社製）
などが例示できる。
【００３４】
個人情報記録ページ１にはまた、顔写真画像１１、文字情報１２、機械読み取り情報１３がシアン、マゼンタ、イエロー、墨の４色の通常の熱転写インクが熱転写されたカラー画像としてカラードット１１１で形成されている。一般的には、顔写真画像１１はシアン、マゼンタ、イエローの３色の色重ねにより、また文字情報１２および機械読み取り情報１３は墨インクで形成される。すなわち顔写真画像１１、文字情報１２および機械読み取り情報１３は光の吸収を利用して表示される画像である。具体的には、顔写真画像１１、文字情報１２は白色光で照明し、肉眼で観察した場合に視認可能な画像であり、機械読み取り情報１３はＯＣＲ装置などで電子的に読み取るための画像である。
【００３５】
文字情報１２には、個人情報として氏名、生年月日、性別、国籍、住所等のパスポートの規格で規定された個人情報が記録されるが、それ以外の情報を含んでも良い。
【００３６】
顔写真画像１１、文字情報１２および機械読み取り情報１３は、例えば染料および顔料で構成することができる。ただし、一般に顔料の方が耐光性、耐薬品性などの耐久性に優れ、ＯＣＲ装置での読み取りに適しているため、より好ましい。この場合、顔写真画像１１、文字情報１２および機械読み取り情報１３は、サーマルヘッドを用いた熱転写記録法により、図２に例示したような各色のインクで塗り分けられた熱転写インクリボン３からインクを熱転写することにより形成される。
【００３７】
本実施形態におけるセキュリティ画像１４は、顔写真画像１１と同じ顔画像がやや縮小されて記録されている。この場合、顔写真画像１１とセキュリティ画像１４の画像が同一であることが本物であることの証明であるとすると、仮に顔写真画像１１の印刷画像の情報を改竄したとしても、顔写真画像１１とセキュリティ画像１４の情報は同一でなければならないため、セキュリティ画像１４も同一の絵柄に改竄する必要があり、偽造または模造は困難となる。特に、光輝性顔料を含む熱転写インクの光輝性ドット１４１は、その色や干渉光の射出方向が特徴的であり、一般に改竄は困難である。
【００３８】
また、顔写真画像１１とセキュリティ画像１４を見比べることでも真贋判定が可能であるため、個人識別を行う審査官に対してより精度のよい認証が可能となる。また、真贋判定の方法は画像を見比べることで、比較的簡便な方法であるため、審査官に限らず、誰もが真贋判定を簡易に行うことができる。
【００３９】
図１に示す個人情報記録ページ１に含まれるセキュリティ画像１４は顔写真画像で構成されている。この場合、パスポートなどの個人認証媒体の偽造または模造をより困難とすることができるが、個人認証媒体以外の情報媒体に適用することも可能である。
【００４０】
図１（ｂ）に例示した画像形成体は、間接転写方式で作成されたパスポートであり、顔写真画像１１、文字情報１２および機械読み取り情報１３およびセキュリティ画像１４は一旦、図示しない中間転写媒体に転写された後、被転写基材１７に設けられた接着層１６上に再転写されている。そのため、最上層には中間転写媒体から再転写する際の剥離性を得るための剥離層１５が覆っている。
【００４１】
中間転写媒体としては、ポリエチレンテレフタレートのような樹脂のフィルム上に剥離層および受像層をこの順序で形成した積層体を用いることができる。受像層の材料は、例えばプロプロピレン樹脂、ポリエチレンテレフタレート樹脂、ポリアセタール樹脂、ポリエステル樹脂等の熱可塑性樹脂等を挙げることができる。
【００４２】
このような積層体の受像層に、前述した手法で熱転写インクリボンからインクを転写することにより、記録情報が記録された中間転写媒体が作製される。中間転写媒体は、その記録情報を画像形成体の記録面に再転写することにより画像形成を行うことができる。
【００４３】
熱転写記録法には、熱転写インクリボンからインクを画像形成体に直接熱転写する直接転写方式と、インクを一旦中間転写媒体に転写し、その後、中間転写媒体から画像形成体に再度転写する間接転写方式が知られている。本実施形態では、間接転写方式により記録した例を示しているが、本発明は直接転写方式にも適用することができる。
【００４４】
画像形成体をパスポートとする場合、個人情報記録ページ１の被転写基材１７は紙とな
ることが多いが、本発明の画像形成体の被転写基材１７の材質は、天然の紙および合成紙などの紙でなくてもよい。例えば、ポリエチレンテレフタレート樹脂（熱可塑性ＰＥＴ）、ポリ塩化ビニル樹脂、熱硬化性ポリエステル樹脂、ポリカーボネート樹脂、ポリメタクリル樹脂およびポリスチレン樹脂などの合成樹脂、ガラス、陶器および磁器などのセラミックス、または、単体金属および合金などの金属材料であってもよい。
【００４５】
本発明の画像形成体を作成するために使用できる熱転写インクリボンについて、図２に例示してより具体的に説明する。熱転写インクリボン３は、基材フィルムの一方の面に、赤色（Ｒ）、緑色（Ｇ）、青色（Ｂ）の３色の干渉光を射出する光輝性顔料を含む熱転写インク層が面順次に設けられて構成され、さらにシアン（Ｃ）、マゼンタ（Ｍ）、イエロー（Ｙ）、墨（Ｋ）の４色の通常の熱転写インク層が面順次に設けられている。すなわち、同一の基材フィルムにすべての熱転写インク層が設けられていて良く、単一のインクリボンとすることができ、取り扱いが容易であり、プリンタの構成も複雑にならない。
【００４６】
また必要に応じ、基材フィルムと熱転写インク層の間に剥離層を、基材フィルムの他方の面、すなわちサーマルヘッドに当接する面にバックコート層を、それぞれ設けても良い。また再転写時の接着層となるプライマ層がさらに設けられても良い。
【００４７】
基材フィルムは、例えばポリエチレンテレフタラート（ＰＥＴ）、ポリプロピレン（ＰＰ）、ポリカーボネート（ＰＣ）、ポリメチルメタクリレート（ＰＭＭＡ）、ポリエチレン（ＰＥ）等のプラスチックシートが好適に用いられる。基材フィルムの厚さは、一般的に１〜１００μｍ程度であるが、転写性を向上させるために薄い方が良く、特に１〜１０μｍ程度であることがより好ましい。
【００４８】
図３は、本発明の画像形成体の光輝性画像の形成工程の一例を概略的に示す断面図である。なお、図３では説明の煩雑さを避けるために直接転写方式の場合で説明しているが、間接転写方式においても再転写するためインクの重ね順が逆になるだけであり、基本的には変わりがない。
【００４９】
まず、前述したように基材フィルム３１に熱転写インク層３２が設けられた熱転写リボン３への熱圧により、受像体４に赤色（Ｒ）、緑色（Ｇ）、青色（Ｂ）の３色の光輝性顔料を含む熱転写インクのうちの１色目の光輝性ドット４１を転写する。色の順番は熱転写リボン３の仕様によるが、基本的には任意である。図３（ａ）では、受像体４と熱転写リボン３とが離れて描かれているが、転写時にはそれら部材は互に密着される。
【００５０】
同様に熱転写リボン３から２色目の転写を行うことで、図３（ｂ）に示すように光輝性ドット４２が受像体４の光輝性ドット４１上に転写される。このとき光輝性ドット４２の中心位置を光輝性ドット４１の中心位置からずらし、部分的に重なった状態で受像体４に転写することにより、例えば３００ｄｐｉのサーマルヘッドを用いた場合、本来ドットピッチが０．０８４ｍｍの解像度になるところを、中心位置をその半分、すなわち０．０４２ｍｍずらすことで擬似的に０．０８４ｍｍ×０．０４２ｍｍサイズまたは０．０４２ｍｍ×０．０４２ｍｍサイズ、つまり６００ｄｐｉ相当の高解像度の画像を得ることができる。重なり合うドットの中心間距離は、ドットが円形の場合、一定、かつ、ドットピッチの１／２以下にすることによって、より高解像度でムラのない高品位な画像を受像体４に形成することが可能となる。
【００５１】
同一の層構成のドットが重なっている場合、下層のドットは上層のドットと比較して、透過率の自乗の明るさとなる。しかし、人間が感じる感覚は変化量に対してその対数となる。例えば、透過率が７０％の場合、下層のドットの輝度は上層のドットの輝度の４９％となる。この場合、実際に人間が感じる感覚はその対数となるので、一般的に輝度値が半
分程度であれば、それほど暗くなったようには感じない。したがって、転写層が７０％以上の可視光の透過率を有すれば、ドットが重なった領域でも下層のドットからの射出光を問題なく観察することが可能となる。
【００５２】
また、隣接するドットにおいて、少なくとも一部においてＲ、Ｇ、Ｂが互いに隣接するようにドットを配置することにより、フルカラー表示を画素単位で表現することが可能となる。また、この場合、表示したいフルカラーの原画像のＲ、Ｇ、Ｂ成分を抽出して規則的に配置すればよいため、画像処理の負荷を大きく軽減することが可能となる。
【００５３】
図４は、本発明の画像形成体の第二の形態を示す模式図であり、前述の実施形態同様、画像形成体であるパスポートの個人情報記録ページを示している。図４（ａ）は平面図であり、図４（ｂ）は直線Ｂ−Ｂ´での断面図である。本実施形態においては、光輝性画像として形成されているセキュリティ画像２４が、シアン、マゼンタ、イエロー、墨の４色の通常の熱転写インクが熱転写されたカラードット１１２と、赤色、緑色、青色の３色の干渉光を射出する光輝性顔料を含む熱転写インクの光輝性ドット１４１が互いに部分的に重なって転写されて形成されている。
【００５４】
このとき、セキュリティ画像２４のドットは、例えば図５（ａ）に示したような構成となる。すなわち、被転写基材４上に、シアン（Ｃ）、マゼンタ（Ｍ）、イエロー（Ｙ）、墨（Ｋ）の４色の通常の熱転写インク層から転写されたカラードット５１が形成される。カラードット５１は１色、あるいは２色以上が重なったドットであるが、ここでは簡易的に示している。カラードット５１と部分的に重なって、赤色、緑色、青色の３色の干渉光を射出する光輝性顔料を含む熱転写インクのうちの１色目の光輝性ドット５２が転写され、さらに２色目の光輝性ドット５３の転写が行なわれている。このとき前述の実施形態と同様、カラードット５１、光輝性ドット５２、５３の中心位置を互いにずらし、部分的に重なった状態で被転写基材４に転写することにより、擬似的により高解像度で、ムラのない高品位な画像を被転写基材４に形成することが可能となる。
【００５５】
このセキュリティ画像２４は、見る角度を変えることで、図５（ｂ）の左図の様に、干渉光が見えずに通常のカラードットで形成された画像のみが見える状態と、右図の様に光輝性ドットから射出する干渉光が見える状態を切り替えることができる。このようなセキュリティ画像２４は、偽造、改竄が前述の実施形態よりもさらに困難であり、より高いセキュリティ性が得られる。
【００５６】
以上の各実施形態では、パスポートとしての画像形成体を例示したが、上述した技術はパスポート以外の個人認証媒体等にも適用することも可能である。例えば、この技術は査証およびＩＤカードなどの各種カードに適用することも可能である。また、上述した技術は、個人認証媒体以外の情報媒体に適用することも可能である。即ち、上述した技術は、個人認証以外の目的で利用してもよい。
【００５７】
以上のように、本発明の画像形成体は、高解像度で、かつ偽造、改竄が困難なセキュリティ画像が光輝性画像として設けられた画像形成体が得られ、パスポート等の個人認証媒体に好適な画像形成体が得られる。
【実施例】
【００５８】
以下に実施例により本発明を具体的に説明する。
【００５９】
＜実施例１＞
（光輝性インクの調製）
・光輝性顔料：赤色：Ｉｒｉｏｄｉｎ２１１（登録商標、ＭＥＲＫ社製）
：緑色：Ｉｒｉｏｄｉｎ２３１（登録商標、ＭＥＲＫ社製）
：青色：Ｉｒｉｏｄｉｎ２２１（登録商標、ＭＥＲＫ社製）
・インキ塗液構成比率
光輝性顔料：樹脂（ダイヤナール（登録商標）ＢＲ１１６（三菱ケミカル製））：３０部溶剤（ＭＥＫ／トルエン＝３０／７０）：８９部
添加剤（サイロホービック（登録商標）（富士シリシア化学製））：１部
（印刷）
・基材フィルム（ＰＥＴフィルム（厚み４．５μｍ）、東レ製）に、乾燥時膜厚が１〜１．５μｍとなる様に、グラビア印刷にて各色のインキを印刷した。
・各色のインクパネルは、９０×６０ｍｍの大きさとした。
（画像プリント）
・解像度３００ｄｐｉのサーマルヘッドを備えた熱転写プリンタで、各色のドットの中心位置を０．０４２ｍｍずらし、擬似的に６００ｄｐｉ相当となる様にして冊子状媒体に転写した。
（結果）
・冊子状媒体から３０ｃｍの距離で目視したところ、ＲＧＢ各色のドットが目立たず、高精細な光輝性画像が得られることが確認された。
【符号の説明】
【００６０】
１、２・・・個人情報記録ページ
３・・・熱転写インクリボン
４・・・受像体
１１・・・顔写真画像
１２・・・文字画像
１３・・・機械読み取り情報
１４・・・セキュリティ画像
１５・・・剥離層
１６・・・粘着層
１７・・・被転写基材
３１・・・基材フィルム
３２・・・熱転写インク層
４１、４２、５２、５３、１４１・・・光輝性ドット
５１、１１１、１１２・・・カラードット
【図１】
2020078889.tif 000003
【図２】
2020078889.tif 000004
【図３】
2020078889.tif 000005
【図４】
2020078889.tif 000006
【図５】
2020078889.tif 000007